(57)【要約】【課題】パケットの優先度を判定し、優先度ごとに伝送チャネルを変えることで、相互に干渉しない伝送を可能にする時分割多重伝送装置を得る。【解決手段】パケット端末５と伝送路１との間でパケットデータの送受信を行うパケット伝送部３ａ，３ｂをチャネルに応じて複数備え、当該パケット伝送部３ａ，３ｂは、特定のチャネルにパケットを多重する多重部３１と、特定のチャネルからデータを分離する分離部３２とを有し、複数のチャネルを使用した通信を可能とする。【選択図】        図２
2004172737.tif 000002
【特許請求の範囲】
【請求項１】
時分割多重方式で通信を行う時分割多重伝送装置において、パケット端末と伝送路との間でパケットデータの送受信を行うパケット伝送部をチャネルに応じて複数備え、当該パケット伝送部は、特定のチャネルにパケットを多重する多重部と、特定のチャネルからデータを分離する分離部とを有し、複数のチャネルを使用した通信を可能とする
ことを特徴とする時分割多重伝送装置。
【請求項２】
請求項１に記載の時分割多重伝送装置において、
前記パケット伝送部は、伝送路からのパケットデータを再び伝送路に中継するための中継キューを備える
ことを特徴とする時分割多重伝送装置。
【請求項３】
請求項２に記載の時分割多重伝送装置において、
前記パケット伝送部は、複数の送信キュー及び複数の受信キューと、一定のルールに従って端末からのパケットを格納する送信キューを判定するパケット振り分け部と、一定のルールに従って複数の受信キューからのパケットを優先順位にしたがって端末側に転送する受信集約部とをさらに備える
ことを特徴とする時分割多重伝送装置。
【請求項４】
請求項３に記載の時分割多重伝送装置において、
前記パケット伝送部は、端末からのパケットの優先度を判定して前記送信キューの振り分けを行う優先度判定部と、前記複数の送信キューから送信パケットを引き抜き、あらかじめ決められたルールに従い引き抜いた送信キューに割り付けられた、パケットを時分割のタイムスロットデータに変換する変換部にパケットを転送する送信キュー選択部とをさらに備える
ことを特徴とする時分割多重伝送装置。
【請求項５】
請求項４に記載の時分割多重伝送装置において、
前記パケット伝送部は、伝送路からの中継データの優先度を判定して前記中継キューの振り分けを行う中継キュー振り分け部をさらに備える
ことを特徴とする時分割多重伝送装置。
【請求項６】
請求項５に記載の時分割多重伝送装置において、
前記パケット伝送部は、伝送路からの分離パケットの優先度を判定して前記受信キューの振り分けを行う受信キュー振り分け部と、優先度に応じて端末へのデータ送信を行う受信集約部とをさらに備える
ことを特徴とする時分割多重伝送装置。
【請求項７】
請求項６に記載の時分割多重伝送装置において、
前記パケット伝送部は、優先度判定条件を蓄積し、前記優先度判定部と前記中継キュー振り分け部及び前記受信キュー振り分け部に優先度判定の条件を分配する優先度判定条件蓄積部をさらに備える
ことを特徴とする時分割多重伝送装置。
【請求項８】
請求項７に記載の時分割多重伝送装置において、
前記優先度判定条件蓄積部は、矛盾する判定条件を解決するルールを格納するし、前記優先度判定部と前記中継キュー振り分け部及び前記受信キュー振り分け部は、前記優先度判定条件蓄積部からの矛盾解決ルールに従い、矛盾発生時に自動的にその解決を行う
ことを特徴とする時分割多重伝送装置。
【発明の詳細な説明】
【０００１】
【発明の属する技術分野】
この発明は、時分割多重方式により通信を行う時分割多重伝送装置に関し、特にＩＰデータの優先制御方式に関するものである。
【０００２】
【従来の技術】
従来、この種の時分割多重伝送装置として、情報処理装置とループネットワーク間を結ぶループインタフェース装置を備え、インタフェース部を介して制御部により、情報処理装置からの送信データとそのメッセージ種別と緊急度の情報を受け取り、記憶部に記憶すると共に、アクセスフラグ判定部を起動し、ループネットワークから受信部で受信したタイムスロットで空いているタイムスロットを検出するようにして、空きタイムスロットを見つけた場合に、送信データが緊急送信データまたは短いデータの場合には、即座に空きタイムスロットを使用して送信データを送信し、送信データが緊急性を要しない場合には、空きタイムスロットを検出する毎に空タイムスロットカウンタを１インクリメントし、空タイムスロットカウンタが所定数に達するまで空きタイムスロットの検出を続け、達したところで送信データを送信するものがあった（例えば、特許文献１参照）。
【０００３】
【特許文献１】
特開昭６１−２１０７４３号公報（第４図）
【０００４】
【発明が解決しようとする課題】
しかしながら、上述した従来技術では、（１）大量データの送信中に情報処理装置から新たな緊急送信データを受け取っても送信できない、（２）大量データが複数の情報処理装置から一斉に発生すると空きタイムスロットがあっても所定数に達しないため送信できない、といった問題点があった。
【０００５】
この発明は上記の課題を解決しようとするものであり、パケットの優先度を判定し、優先度ごとに伝送チャネルを変えることで、伝送部が複数実装されても、それぞれが異なるチャネルを使用してパケットの送受信を行うことができ、相互に干渉しない、帯域が保証されたパケット通信を可能とすることができる時分割多重伝送装置を得ることを目的とする。
【０００６】
【課題を解決するための手段】
この発明に係る時分割多重伝送装置は、時分割多重方式で通信を行う時分割多重伝送装置において、パケット端末と伝送路との間でパケットデータの送受信を行うパケット伝送部をチャネルに応じて複数備え、当該パケット伝送部は、特定のチャネルにパケットを多重する多重部と、特定のチャネルからデータを分離する分離部とを有し、複数のチャネルを使用した通信を可能とすることを特徴とするものである。
【０００７】
【発明の実施の形態】
実施の形態１．
図１は、この発明の実施の形態１に係る時分割多重伝送装置から構成したネットワークを示すブロック図である。図１に示すように、同期通信データの伝送路１には、複数の通信回線データを時分割多重方式で伝送する時分割多重伝送装置２ａ〜２ｄが接続され、時分割多重伝送装置２ａ〜２ｄ内に収容されたパケット伝送部３ａ〜３ｄに、ＬＡＮケーブル４ａ〜４ｄを介してパケット端末５ａ〜５ｄが接続されている。
【０００８】
図２は、図１に示す時分割多重伝送装置２（２ａ〜２ｄを総称する）とパケット伝送部３（３ａ〜３ｄを総称する）の詳細な構成を示すブロック図である。時分割多重伝送装置２は、伝送路１（１ａ，１ｂを総称する）に接続された伝送路インタフェース２１（２１ａ，２１ｂを総称する）、多重／分離部２２、多重バス２３、分離バス２４及びパケット伝送部３から構成される。
【０００９】
また、前記パケット伝送部３は、ＬＡＮインタフェース３７、このＬＡＮインタフェース３７が送信したパケットをキューイングする送信キュー３５、送信キュー３５から引き抜かれたパケットを時分割のタイムスロットデータに変換するパケット→ＴＳ変換部３３、変換された時分割のタイムスロットを多重バス２３に送信するための多重部３１、分離バス２４から時分割のタイムスロットを受信する分離部３２、分離部から受信した時分割のタイムスロットからパケットを再構成するＴＳ→変換部３４、変換された受信パケットをキューイングする受信キュー３６から構成されている。そして、パケット端末５ａ〜５ｄは、ＬＡＮケーブル４ａ、４ｂを介してパケット伝送部３ａ，３ｂと接続される。
【００１０】
図３は、時分割多重伝送方式としてＳＤＨ（Ｓｙｎｃｈｒｏｎｏｕｓ  Ｄｉｇｉｔａｌ  Ｈｉｅｒａｒｃｈｙ：同期デジタル階層）方式を採用した場合のＳＤＨフレーム６内にパケット伝送用のチャネルを割り当てる方式を説明する図である。パスフレーム６１内のタイムスロット６１１をチャネルに対して複数割り付ける。例えば、チャネル１用には連続したタイムスロット群６１２が割り付けられ、チャネル２用には連続したタイムスロット群６１３が割り付けられている。
【００１１】
図４は、時分割多重伝送方式としてＳＤＨ方式を採用した場合のＳＤＨフレーム６内にパケット伝送用のチャネルを割り当てる別の方式を説明した図である。パスフレーム６１内のタイムスロット６１１をチャネルに対して複数割り付ける。例えば、チャネル１用には連続していないタイムスロット群６１２が割り付けられ、チャネル２用には連続していないタイムスロット群６１３が割り付けられている。
【００１２】
次に動作について説明する。図２において、パケット端末５ａまたは５ｂから送信されたＩＰパケットに代表されるパケットは、時分割多重伝送装置２に実装されたパケット伝送部３ａのＬＡＮインタフェース３７で受信される。ＬＡＮインタフェース３７は、このパケットを他の時分割多重伝送装置２に転送するかしないかをパケットのヘッダ部を元に判別し、転送すると判断した場合は、送信キュー３５に送信パケットをキューイングする。
【００１３】
パケット→ＴＳ変換部３３は、送信キュー３５からパケットを１つ引き抜き、時分割タイムスロットにパケットを分解して多重部３１に転送し、多重部３１は、多重／分離部２２の制御の下、多重バス２３に時分割タイムスロットを送出する。多重／分離部２２は、このパケット伝送部３ａに割り当てられたチャネル１のタイムスロット（図３に示すチャネル１のタイムスロット６１２）に多重し、伝送路インタフェース２１（２１ａ，２１ｂを総称する）及び伝送路１を経由して他の時分割多重伝送装置２に伝送する。
【００１４】
反対に、他の時分割多重伝送装置２が、チャネル１に多重した時分割タイムスロットは、伝送路１から伝送路インタフェース２１で受信され、多重／分離部２２は、分離バス２４に時分割タイムスロットのデータを送出し、これをパケット伝送部３の分離部３２が取り込み、ＴＳ→パケット変換部３４で時分割タイムスロット系列からパケットに再組立し、受信キュー３６にキューイングする。ＬＡＮインタフェース３７は、受信キュー３６からパケットを１つ引き抜き、ＬＡＮケーブル４ａ側にパケットを送出し、このパケットをパケット端末５ａ及び５ｂが受信する。
【００１５】
時分割多重伝送装置２に実装されたもう一つのパケット伝送部３ｂは、パケット伝送部３ａと同様な手順でパケットの送受信を行うが、パケット伝送部３ａとは異なるチャネル２（図３に示すチャネル１のタイムスロット６１３）にパケットから変換された時分割タイムスロットを多重する。
【００１６】
従って、この実施の形態１によれば、パケットの優先度を判定し、優先度ごとに伝送チャネルを変えることで、パケット伝送部３が複数実装されても、それぞれが異なるチャネルを使用してパケットの送受信を行うことができるので、相互に干渉しない、帯域が保証されたパケット通信を可能とすることができる。
【００１７】
実施の形態２．
上述した実施の形態１では、パケット伝送部３は伝送路１側に対して多重と分離しかできないため、パケット伝送部３の１対１の対向通信しかできない。そこで、実施の形態２では、図５に示すように、図２に示す分離部３２と多重部３１の間に、伝送路１からのパケットデータを再び伝送路１に中継するための中継キュー３８を設けることにより、中継機能をもたせ、３つ以上のパケット伝送部３間でのＮ対Ｎ通信が可能にした。なお、図５は、実施の形態２に係る時分割多重伝送装置２とパケット伝送部３の詳細な構成を示すもので、図２に示す実施の形態１と同一部分は同一符号を付してその説明は省略する。
【００１８】
次に動作について説明する。パケット端末５（５ａ，５ｂを総称する）から送信されたＩＰパケットに代表されるパケットは、時分割多重タイムスロットに変換され、多重部３１で多重バス２３に送出されるが、多重部３１は、中継キュー３８に時分割タイムスロットがキューイングされている場合には、ここからデータを引き抜いて多重バス３１に送出する。中継キュー３８に何もキューイングされていない場合は、パケット→ＴＳ変換部３３からの時分割タイムスロットを多重バス２３に送出する。
【００１９】
分離部３２は、分離バス２４から受信した時分割タイムスロットをパケットヘッダより自分宛でないと判断したら中継キュー３８にキューイングし、自分宛てであると判断した場合には、ＴＳ→パケット変換部３４にキューイングする。マルチキャスト通信の場合は、中継キュー３８とＴＳ→パケット変換部３４の双方にキューイングする。
【００２０】
また、中継キュー３８とパケット→ＴＳ変換部３３の両方にデータがある場合には、多重部３１は、競合制御方式として、中継キュー３８を優先する方式を使用するか、中継キュー３８とパケット→ＴＳ変換部３３を交互に１パケットずつ処理するラウンドロビン方式を使用するかを、設定により変更可能である。
【００２１】
従って、実施の形態２によれば、パケット伝送部３に中継キュー３８を設けることで、複数のパケット伝送部３が時分割多重伝送装置２に実装されても、それぞれが異なるチャネルを使用してパケットの送受信を行うことができ、かつ、中継機能をもつので、３つ以上のパケット伝送部３間で自由な送受信でき、各チャネル間で相互に干渉しない、帯域を保証されたパケット通信を可能とする。
【００２２】
実施の形態３．
上述した実施の形態１、２では、パケット伝送部３毎に送受信データを多重するタイムスロット群から構成されるチャネルを割り付ける場合について述べたが、実施の形態３では、一つのパケット伝送部３で、複数のチャネルを割り当て、パケットのヘッダから判断して多重するチャネルを変更する場合の方法について述べる。
【００２３】
図６は、実施の形態３に係る時分割多重伝送装置２とパケット伝送部３の詳細な構成を示すブロック図である。図６において、図５に示す実施の形態２と同一符号は同一部分を示し、その説明は省略する。図６に示す実施の形態３に係るパケット伝送部３は、複数の送信キュー３５ａ〜３５ｂ及び複数の受信キュー３６ａ〜３６ｂと、一定のルールに従って端末からのパケットを格納する送信キューを判定するパケット振り分け部３９と、一定のルールに従って複数の受信キューからのパケットを優先順位にしたがって端末側に転送する受信集約部４０とを備えている。
【００２４】
ＬＡＮインタフェース３７は、送信振り分け部３９に送信パケットを転送し、送信振り分け部３９は、パケットヘッダから判断して送信キュー３５ａ〜送信キュー３５ｂのいずれかにキューイングする。どの送信キューにキューイングするかは、あらかじめ設定されたルールに従う。一例として、パケットがＩＰパケットである場合に宛先ＩＰアドレスに基づき送信キューを選択する。
【００２５】
各送信キュー３５ａ〜３５ｂにはそれぞれパケット→ＴＳ変換部３３ａ〜３３ｂが設けられており、送信キューから引き抜かれたパケットは、各パケット→ＴＳ変換部３３ａ〜３３ｂで時分割タイムスロットに変換され、多重部３１に転送される。
【００２６】
多重部３１は、パケット→ＴＳ変換部３３ａ〜３３ｂにそれぞれ割り当てられたチャネル（タイムスロットの独立したグループ）に多重されるよう多重バス２３に送出する。多重／分離部２２は、多重部３１が送出した時分割タイムスロットを対応するチャネルに多重する。
【００２７】
受信方向では、多重／分離部２２から時分割タイムスロットを受信した分離部３２は、チャネル単位で中継する必要のあるデータは対応する中継キュー３８（３８ａ〜３８ｂを総称する）にキューイングし、自分が受信するデータはチャネルに対応するＴＳ→パケット変換部３４（３４ａ〜３４ｂを総称する）に転送し、ＴＳ→パケット変換部３４は、受信したデータからパケットを再組立してパケットを対応する受信キュー３６（３６ａ〜３６ｂを総称する）にキューイングする。
【００２８】
受信集約部４０は、複数の受信キュー３６からあらかじめ決められた優先順位に従って受信キュー３６を１つ選択してパケットを引き抜きＬＡＮインタフェース３７に転送する。前記優先順位は、固定的または可変の各種アルゴリズムが適用可能である。
【００２９】
従って、実施の形態３によれば、１つのパケット伝送部３に、複数の送信キュー３５ａ〜３５ｂ及び複数の受信キュー３６ａ〜３６ｂと、一定のルールに従って端末からのパケットを格納する送信キューを判定するパケット振り分け部３９と、一定のルールに従って複数の受信キューからのパケットを優先順位にしたがって端末側に転送する受信集約部４０とを備えたので、パケット伝送部３が複数のチャネルを割り付けられ、パケットのヘッダに基づく種別により多重するチャネルを決めることができるので、１つのパケット伝送部３でもパケットの種別毎に相互に干渉しない、帯域が保証されたパケット通信を可能とする。
【００３０】
実施の形態４．
上述した実施の形態３では、パケット伝送部３が、パケットのヘッダに基づく種別単位で送受信データを多重するタイムスロット群から構成されるチャネルを割り付ける場合について述べたが、実施の形態４では、１つのチャネルに複数種別のパケットを優先度に応じて多重する場合の方法について述べる。
【００３１】
図７は、実施の形態４に係る時分割多重伝送装置２とパケット伝送部３の詳細な構成を示すブロック図である。図７において、図６に示す実施の形態３と同一符号は同一部分を示し、その説明は省略する。図７に示す実施の形態４に係るパケット伝送部３は、端末からのパケットの優先度を判定して複数の送信キュー３５の振り分けを行う優先度判定部４２と、複数の送信キュー３５から送信パケットを引き抜き、あらかじめ決められたルールに従い引き抜いた送信キューに割り付けられた、パケットを時分割のタイムスロットデータに変換するパケット→ＴＳ変換部３３にパケットを転送する送信キュー選択部４１とを備えている。
【００３２】
図７において、ＬＡＮインタフェース３７は、優先度判定部４２に送信パケットを転送し、優先度判定部４２は、複数の送信キュー３５に送信パケットをキューイングし、送信キュー選択部４１は、複数の送信キュー３５から送信パケットを引き抜き、あらかじめ決められたルールに従い、引き抜いた送信キュー３５に割り付けられたパケット→ＴＳ変換部３３にパケットを転送する。これ以降の動作は、実施の形態３と同様である。受信方向についても、実施の形態３と同様である。また、送信キュー３５からパケット→ＴＳ変換部３３への割り付けは、あらかじめ決められたルールに従い１対１またはＮ対１が可能である。
【００３３】
従って、実施の形態４によれば、パケット伝送部３に、端末からのパケットの優先度を判定して複数の送信キュー３５の振り分けを行う優先度判定部４２と、複数の送信キュー３５から送信パケットを引き抜き、あらかじめ決められたルールに従い引き抜いた送信キューに割り付けられたパケット→ＴＳ変換部３３にパケットを転送する送信キュー選択部４１とを備えたので、パケット伝送部３が複数のチャネルを割り付けられ、あるチャネルには１つのパケット種別を多重し、あるチャネルには複数種別のパケットをあらかじめ決められた優先度に従って多重することができるので、１つのパケット伝送部３でもパケットの種別毎に相互に干渉しない帯域を保証されたパケット通信と複数のパケット種別で帯域を共有するが優先度制御が行なわれたパケット通信を提供することができる。
【００３４】
実施の形態５．
上述した実施の形態４では、パケット伝送部３が、あるチャネルには１つのパケット種別を多重し、また、別のあるチャネルに複数種別のパケットを優先度に応じて多重する場合について述べたが、実施の形態５では、あるチャネルに複数種別のパケットを優先度に応じて多重する場合に中継部においても優先度に従って中継する場合について述べる。
【００３５】
図８は、実施の形態５に係る時分割多重伝送装置２とパケット伝送部３の詳細な構成を示すブロック図である。図８において、図７に示す実施の形態４と同一符号は同一部分を示し、その説明は省略する。図８に示す実施の形態５に係るパケット伝送部３は、伝送路からの中継データの優先度を判定して中継キュー３８の振り分けを行う中継キュー振り分け部４３を備えている。
【００３６】
図８において、多重／分離部２２から時分割タイムスロットを受信した分離部３２は、中継する必要のあるデータを中継キュー振り分け部４３に渡す。中継キュー振り分け部４３は、優先度判定部４２と同様に、あらかじめ決められたルールに従い優先度毎に複数の中継キュー３８に振り分けて送信キュー選択部４１に渡す。送信キュー選択部４１では、あらかじめ決められたルールに従い、中継キュー３８および送信キュー３５からのデータを割り付けられているパケット→ＴＳ変換部３３に送信する。これ以降の動作は実施の形態４と同様である。
【００３７】
従って、実施の形態５によれば、パケット伝送部３に、伝送路からの中継データの優先度を判定して中継キュー３８の振り分けを行う中継キュー振り分け部４３を備えたので、パケット伝送部３が複数のチャネルを割り付けられ、複数種別のパケットが多重されたチャネルにおいて、多重データの優先順位と中継データの優先順位に応じて再多重が行われるため、多重データの高優先度パケットより中継データの低優先度パケットが優先されるということがなく、一貫した優先度制御が可能となる。
【００３８】
実施の形態６．
上述した実施の形態５では、パケット伝送部３が、多重および中継時に優先度に応じたキューイングとチャネル決定を行う場合について述べたが、実施の形態６では、分離部でも優先度に従って分離する場合について述べる。
【００３９】
図９は、実施の形態６に係る時分割多重伝送装置２とパケット伝送部３の詳細な構成を示すブロック図である。図９において、図８に示す実施の形態５と同一符号は同一部分を示し、その説明は省略する。図９に示す実施の形態６に係るパケット伝送部３は、伝送路からの分離パケットの優先度を判定して受信キュー３６の振り分けを行う受信キュー振り分け部３４（３４ａ〜３４ｂを総称する）と、優先度に応じて端末へのデータ送信を行う受信集約部４０とを備えている。
【００４０】
図９において、ＴＳ→パケット変換部３４で再構成されたパケットは受信キュー振り分け部４５に渡される。受信キュー振り分け部４５では、あらかじめ決められたルールに従い優先度毎に複数の受信キュー３６に振り分けてキューイングされる。受信集約部４０は、複数の受信キュー３６からあらかじめ決められた優先順位に従って受信キュー３６を１つ選択してパケットを引き抜きＬＡＮインタフェース４０に転送する。前記優先順位は、固定的または可変の各種アルゴリズムが適用可能である。
【００４１】
従って、実施の形態６によれば、パケット伝送部３に、伝送路からの分離パケットの優先度を判定して受信キュー３６の振り分けを行う受信キュー振り分け部３４と、優先度に応じて端末へのデータ送信を行う受信集約部４０とを備えているので、複数種別のパケットを一つのチャネルに多重した場合に、分離から端末への送信過程においても優先度制御が行われることで低優先度のパケットに優先して端末で受信することが可能である。
【００４２】
実施の形態７．
図１０は、本実施の形態７に係るパケット伝送部３のブロック図である。図１０において、図９に示す実施の形態６と同一符号は同一部分を示し、その説明は省略する。図１０に示す実施の形態７に係るパケット伝送部３は、優先度判定の判定条件を蓄積し、優先度判定部４２、中継キュー振り分け部４３、受信キュー振り分け部４５のそれぞれに優先度判定の条件を分配する優先度判定条件蓄積部４６を備えている。
【００４３】
優先度判定条件蓄積部４６は、例えば外部の管理装置からの設定、他のパケット伝送部３からの条件の伝送等、任意の方法で可能である。
【００４４】
また、優先度判定の条件としては、例えば以下が考えられる。
・送信元ＭＡＣアドレス
・宛先ＭＡＣアドレス
・ＭＡＣフレームのＴＹＰＥフィールドの値
・ＶＬＡＮタグ内のプライオリティ値
・送信元ＩＰアドレス
・宛先ＩＰアドレス
・ＩＰヘッダ内のプロトコル
・ＩＰヘッダ内のＴＯＳフィールドの値
・ＴＣＰの送信元ポート番号
・ＴＣＰの宛先ポート番号
・ＵＤＰの送信元ポート番号
・ＵＤＰの宛先ポート番号
・ＭＡＣフレーム内の任意の位置の任意の値
【００４５】
従って、実施の形態７によれば、パケット伝送部３に、優先度判定条件蓄積部４６を備えることで、一括して優先度の判定条件を管理することが可能であり、様々な条件を複数の優先度判定箇所で矛盾なく適用することが可能である。
【００４６】
実施の形態８．
上述した実施の形態７に係るパケット伝送部３において、優先度判定条件蓄積部４６では、様々な優先度判定条件を蓄積可能であり、中には相互に矛盾する設定が行われることもあり得る。例えば、あるパケットが送信元ＩＰアドレスよる判定では高優先度と判定され、ＩＰヘッダ内のプロトコルでは低優先度と判定される、といったことが起こりうる。
【００４７】
そこで、本実施の形態８に係る優先度判定条件蓄積部４６では、このような矛盾が生じた場合にこれを解決するルールを格納し、判定条件と一緒に優先度判定部４２、中継キュー振り分け部４３、受信キュー振り分け部４５に分配する。
【００４８】
解決ルールとしては、例えば以下のことが考えられる。
・常に高優先度を優先
・常に低優先度を優先
・判定条件が早く一致した優先度判定を優先
・判定条件が遅く一致した優先度判定を優先
【００４９】
従って、実施の形態８によれば、優先度判定条件蓄積部４６に矛眉解決ルールを蓄積し、優先度判定部４２、中継キュー振り分け部４３、受信キュー振り分け部４５は、優先度判定と同時にこの矛盾解決ルールを使用することで、複数の優先度判定条件が競合した場合にも適切な優先度判定が可能である。
【００５０】
【発明の効果】
以上のように、この発明によれば、パケット伝送部が複数実装されても、それぞれが異なるチャネルを使用してパケットの送受信を行うことができるので、相互に干渉しない、帯域を保証されたパケット通信が可能となる。
【図面の簡単な説明】
【図１】この発明の実施の形態１に係る時分割多重伝送装置から構成したネットワークの図である。
【図２】この発明の実施の形態１に係る時分割多重伝送装置とパケット伝送部の詳細ブロック図である。
【図３】この発明の実施の形態１に係るＳＤＨフレーム内にパケット伝送用のチャネルを割り当てる方式を示す図である。
【図４】この発明の実施の形態１に係るＳＤＨフレーム内にパケット伝送用のチャネルを割り当てる方式を示す図である。
【図５】この発明の実施の形態２に係る時分割多重伝送装置とパケット伝送部の詳細ブロック図である。
【図６】この発明の実施の形態３に係る時分割多重伝送装置とパケット伝送部の詳細ブロック図である。
【図７】この発明の実施の形態４に係る時分割多重伝送装置とパケット伝送部の詳細ブロック図である。
【図８】この発明の実施の形態５に係る時分割多重伝送装置とパケット伝送部の詳細ブロック図である。
【図９】この発明の実施の形態６に係る時分割多重伝送装置とパケット伝送部の詳細ブロック図である。
【図１０】この発明の実施の形態７に係る時分割多重伝送装置とパケット伝送部の詳細ブロック図である。
【符号の説明】
１，１ａ，１ｂ  伝送路、２，２ａ〜２ｄ  時分割多重伝送装置、３，３ａ〜３ｄ  パケット伝送部、４，４ａ〜４ｄ  ＬＡＮケーブル、５，５ａ〜５ｄ  パケット端末、２１，２１ａ，２１ｂ  伝送路インタフェース、２２  多重／分離部、２３  多重バス、２４  分離バス、３１  多重部、３２  分離部、３３，３３ａ，３３ｂ  パケット→ＴＳ変換部、３４，３４ａ，３４ｂ  ＴＳ→変換部、３５，３５ａ，３５ｂ  送信キュー、３６，３６ａ，３６ｂ  受信キュー、３７ＬＡＮインタフェース、３８，３８ａ，３８ｂ  中継キュー、４０  受信集約部、４１  送信キュー選択部、４２  優先度判定部、４３  中継キュー振り分け部、４５  受信キュー振り分け部、４６  優先度判定条件蓄積部。
【図１】
2004172737.tif 000003
【図２】
2004172737.tif 000004
【図３】
2004172737.tif 000005
【図４】
2004172737.tif 000006
【図５】
2004172737.tif 000007
【図６】
2004172737.tif 000008
【図７】
2004172737.tif 000009
【図８】
2004172737.tif 000010
【図９】
2004172737.tif 000011
【図１０】
2004172737.tif 000012